【手続補正書】
【提出日】平成16年8月5日(2004.8.5)
【手続補正１】
【補正対象書類名】特許請求の範囲
【補正対象項目名】全文
【補正方法】変更
【補正の内容】
【特許請求の範囲】
【請求項１】
ホログラムを記録する方法であって、
ホログラフィック記録材料を供給する過程と、
前記ホログラフィック記録材料を非コヒーレント広帯域光源に露光することによって前記ホログラフィック記録材料を事前感光する過程と、
前記ホログラフィック記録材料をパルスレーザからの参照光及び前記パルスレーザからの物体光により形成される干渉パターンに露光する過程とを含むことを特徴とする方法。
【請求項２】
前記参照光と前記物体光のうち少なくとも一方を前記ホログラフィック記録材料に対して斜角をなして方向付ける過程を更に含むことを特徴とする請求項１に記載の方法。
【請求項３】
前記参照光と前記物体光のうち少なくとも一方を方向付ける過程が、
前記参照光と前記物体光のうち前記少なくとも一方を前記ホログラフィック記録材料の面法線に対して約４５°の角度で位置決めする過程を更に含むことを特徴とする請求項２に記載の方法。
【請求項４】
前記参照光と前記物体光とが相互に対してコヒーレントであるように前記参照光と前記物体光のうち少なくとも一方の光路長を調整する過程を更に含むことを特徴とする請求項１に記載の方法。
【請求項５】
前記光路長を調整する過程が、
前記参照光と前記物体光のうち前記少なくとも一方を反射するべく作動可能な第１の固定ミラーを供給する過程と、
前記第１の固定ミラーから第２の固定ミラーへ光を反射するべく作動可能な少なくとも１つの可動ミラーを供給する過程と、
前記少なくとも１つの可動ミラーの位置を調整する過程とを更に含むことを特徴とする請求項４に記載の方法。
【請求項６】
空間光変調器で前記物体光を輝度変調する過程を更に含むことを特徴とする請求項１に記載の方法。
【請求項７】
前記ホログラフィック記録材料を事前感光する過程と前記ホログラフィック記録材料を露光する過程との間の所定の期間を待つ過程を更に含むことを特徴とする請求項１に記載の方法。
【請求項８】
ホログラムを記録する方法であって、
ホログラフィック記録材料を供給する過程と、
前記ホログラフィック記録材料を複数のレーザパルスに露光することによって前記ホログラフィック記録材料を事前感光する過程と、
前記ホログラフィック記録材料をパルスレーザからの参照光及び前記パルスレーザからの物体光により形成される干渉パターンに露光する過程とを含むことを特徴とする方法。
【請求項９】
前記複数のレーザパルスが、前記参照光と前記物体光のうち少なくとも一方によって供給されることを特徴とする請求項８に記載の方法。
【請求項１０】
前記ホログラフィック記録材料を露光する過程が、
前記参照光と前記物体光のうち少なくとも一方を前記ホログラフィック記録材料に対して斜角をなして方向付ける過程を更に含むことを特徴とする請求項８に記載の方法。
【請求項１１】
前記参照光と前記物体光のうち少なくとも一方を方向付ける過程が、
前記参照光と前記物体光のうち少なくとも一方を前記ホログラフィック記録材料の面法線に対して約４５°の角度で位置決めする過程を更に含むことを特徴とする請求項１０に記載の方法。
【請求項１２】
前記参照光と前記物体光とが相互に対してコヒーレントであるように前記参照光と前記物体光のうち少なくとも一方の光路長を調整する過程を更に含むことを特徴とする請求項８に記載の方法。
【請求項１３】
前記光路長を調整する過程が、
前記参照光と前記物体光のうち前記少なくとも一方を反射するべく作動可能な第１の固定ミラーを供給する過程と、
前記第１の固定ミラーから第２の固定ミラーへ光を反射するべく作動可能な少なくとも１つの可動ミラーを供給する過程と、
前記少なくとも１つの可動ミラーの位置を調整する過程とを更に含むことを特徴とする請求項１２に記載の方法。
【請求項１４】
空間光変調器で前記物体光を輝度変調する過程を更に含むことを特徴とする請求項８に記載の方法。
【請求項１５】
前記ホログラフィック記録材料を事前感光する過程と前記ホログラフィック記録材料を露光する過程との間の所定の期間を待つ過程を更に含むことを特徴とする請求項８に記載の方法。
【請求項１６】
ホログラフィックステレオグラムを記録するための装置であって、
コヒーレントビームを生成するようなパルス光源と、
ホログラフィック記録材料を非コヒーレント広帯域光源及び複数のレーザパルスのうち少なくとも一方に露光することによって事前感光されるような事前感光されたホログラフィック記録材料を保持する材料ホルダと、
前記コヒーレントビームの少なくとも一部を前記ホログラフィック記録材料に方向付けるように動作可能であるような光学系とを含むことを特徴とする装置。
【請求項１７】
前記光学系が、
前記コヒーレントビームを物体光と参照光に分けるようなビームスプリッタと、
前記事前感光されたホログラフィック記録材料で前記参照光と干渉するように前記物体光を方向付けるための物体光光学系と、
前記事前感光されたホログラフィック記録材料で前記物体光と干渉するように前記参照光を方向付けるための参照光光学系とを更に含むことを特徴とする請求項１６に記載の装置。
【請求項１８】
前記物体光光学系と前記参照光光学系のうち少なくとも一方が、
前記物体光と前記参照光のうち少なくとも一方を反射するべく位置決めされた第１の固定ミラーと、
前記第１の固定ミラーからの前記参照光と前記物体光のうち前記少なくとも一方を受光しかつ前記物体光と前記参照光のうち前記少なくとも一方を反射するべく位置決めされた少なくとも１つの可動ミラーと、
前記少なくとも１つの可動ミラーからの前記参照光と前記物体光のうち前記少なくとも一方を受光するべく位置決めされた第２の固定ミラーとを含み、
前記参照光と前記物体光のうち前記少なくとも一方の光路長が、前記少なくとも１つの可動ミラーを動かすことによって調整されるような光路長整合装置を含むことを特徴とする請求項１７に記載の装置。
【請求項１９】
前記物体光光学系が、前記物体光を輝度変調するための空間光変調器を含むことを特徴とする請求項１７に記載の装置。
【請求項２０】
前記空間光変調器に結合されかつ前記空間光変調器へのレンダリングされた画像の送信を制御するべくプログラミングされたコンピュータを更に含むことを特徴とする請求項１９に記載の装置。
【請求項２１】
前記事前感光されたホログラフィック記録材料を保持する前記材料ホルダを位置決めするべく動作可能な材料ホルダ搬送システムを更に含むことを特徴とする請求項２０に記載の装置。
【請求項２２】
前記コンピュータが、前記材料ホルダ搬送システムに結合されかつ前記材料ホルダ搬送システムの位置決めと前記空間光変調器への前記レンダリングされた画像の送信を同期するべく更にプログラミングされることを特徴とする請求項２１に記載の装置。
【請求項２３】
前記材料ホルダ搬送システムの速度が、１列のホーゲルが露光される期間中一定に維持されることを特徴とする請求項２２に記載の装置。
【請求項２４】
前記コンピュータが、前記材料ホルダ搬送システムの位置決めと、前記空間光変調器への前記レンダリングされた画像が与えられる垂直同期信号と水平同期信号のうち少なくとも一方を同期するべく更にプログラミングされることを特徴とする請求項２２に記載の装置。
【請求項２５】
前記パルス光源が、前記空間光変調器への前記レンダリングされた画像が与えられる垂直同期信号と水平同期信号のうち少なくとも一方に基づきトリガされることを特徴とする請求項２０に記載の装置。
【請求項２６】
前記参照光が前記記録材料に衝当するとき前記参照光に対する経路整合を向上させるため前記参照光を回折するべく位置決めされた透過型回折格子または反射型回折格子のうち少なくとも一方を更に含むことを特徴とする請求項１７に記載の装置。
【請求項２７】
前記ホログラフィック記録材料を事前感光するために位置決定された非コヒーレント広帯域光源を更に含むことを特徴とする請求項１６に記載の装置。
【請求項２８】
前記コヒーレントビームの前記少なくとも一部が、前記ホログラフィック記録材料に対して斜角をなして方向付けられることを特徴とする請求項１６に記載の装置。
【請求項２９】
前記コヒーレントビームの前記少なくとも一部が、前記ホログラフィック記録材料の面法線に対して約４５°の角度で方向付けられることを特徴とする請求項２８に記載の装置。